【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
ビヒクルと該ビヒクル中に分散されたおよび／または溶解されたカルボジイミド基含有成分とを含むインクジェット・インクであって、前記カルボジイミド基含有成分がモノマー、オリゴマーもしくはポリマー分子、またはそれらの１つまたは複数の混合物を含み、分子当たり平均して少なくとも２個のカルボジイミド基を有することを特徴とするインクジェット・インク。
【請求項２】
少なくとも３つの異なる色に着色されたインクジェット・インクを含むインクジェット・インクセットであって、
（ａ）着色インクジェット・インクの少なくとも１つが、請求項１に記載のインクジェット・インクであり、および／または
（ｂ）前記インクジェット・インクセットが、実質的に無色である請求項１に記載のインクジェット・インクであって着色剤を含有しないインクを、第４のインクジェット・インクとしてさらに含むことを特徴とするインクジェット・インクセット。
【請求項３】
少なくとも２つのインクジェット・インクを含むインクジェット・インクセットであって、
（ａ）前記インクジェット・インクの少なくとも１つが、請求項１に記載のインクジェット・インクを第１のインクジェット・インクとするものであり、かつ
（ｂ）少なくとも１つの他のインクジェット・インクが、第２のビヒクルと、該第２のビヒクル中に分散されたおよび／または溶解された共反応性化学種（ｃｏ−ｒｅａｃｔｉｖｅ  ｓｐｅｃｉｅｓ）とを含む第２のインクジェット・インクであって、該共反応性化学種が、カルボジイミド基と反応性の１つまたは複数の部位を含むことを特徴とするインクジェット・インクセット。
【請求項４】
基材上へのインクジェット印刷方法であって、
（ａ）デジタルデータ信号に応答するインクジェットプリンターを提供する工程と、
（ｂ）印刷されるべき基材を、該プリンターに装着する工程と、
（ｃ）請求項１に記載のインクまたは請求項３に記載のインクジェット・インクセットを、前記プリンターに装填する工程と、
（ｄ）デジタルデータ信号に応答して、インクまたはインクジェット・インクセットを用いて基材上へ印刷する工程と
を含むことを特徴とする方法。
【手続補正２】
【補正対象書類名】明細書
【補正対象項目名】０１４１
【補正方法】変更
【補正の内容】
【０１４１】
実施例は、本発明で規定されるインクを用いることによる堅牢度の有利な改善を実証する。
以下に本明細書に記載の発明につき列記する。
１．  ビヒクルと該ビヒクル中に分散されたおよび／または溶解されたカルボジイミド基含有成分とを含むインクジェット・インクであって、前記カルボジイミド基含有成分がモノマー、オリゴマーもしくはポリマー分子、またはそれらの１つまたは複数の混合物を含み、分子当たり平均して少なくとも２個のカルボジイミド基を有することを特徴とするインクジェット・インク。
２．  前記１．に記載のインクジェット・インクであって、
２５℃で約２０ｄｙｎ／ｃｍ〜約７０ｄｙｎ／ｃｍの範囲の表面張力、および２５℃で３０ｃＰまたはそれ未満の粘度を有することを特徴とするインクジェット・インク。
３．  前記２．に記載のインクジェット・インクであって、
２５℃で約７ｃＰ未満の粘度を有することを特徴とするインクジェット・インク。
４．  前記１．に記載のインクジェット・インクであって、
前記ビヒクルが、水性ビヒクルであり、そして前記インクが、該水性ビヒクル中に分散されたおよび／または溶解された着色剤をさらに含むことを特徴とするインクジェット・インク。
５．  前記４．に記載のインクジェット・インクであって、
前記着色剤が、高分子分散剤で前記水性ビヒクル中に分散されていることを特徴とするインクジェット・インク。
６．  前記５．に記載のインクジェット・インクであって、
前記高分子分散剤が、カルボジイミド基含有成分を含むことを特徴とするインクジェット・インク。
７．  前記１．に記載のインクジェット・インクであって、
バインダー添加剤として前記カルボジイミド基含有成分を含むことを特徴とするインクジェット・インク。
８．  前記１．〜３．および前記７．のいずれか一項に記載のインクジェット・インクであって、
着色剤を含有しないことを特徴とするインクジェット・インク。
９．  少なくとも３つの異なる色に着色されたインクジェット・インクを含むインクジェット・インクセットであって、
（ａ）着色インクジェット・インクの少なくとも１つが、前記１．〜７．のいずれか一項に記載のインクジェット・インクであり、および／または
（ｂ）前記インクジェット・インクセットが、実質的に無色である前記８に記載のインクジェット・インクを、第４のインクジェット・インクとしてさらに含むことを特徴とするインクジェット・インクセット。
１０．  少なくとも２つのインクジェット・インクを含むインクジェット・インクセットであって、
（ａ）前記インクジェット・インクの少なくとも１つが、前記１．〜８．のいずれか一項に記載のインクジェット・インクを第１のインクジェット・インクとするものであり、かつ
（ｂ）少なくとも１つの他のインクジェット・インクが、第２のビヒクルと、該第２のビヒクル中に分散されたおよび／または溶解された共反応性化学種（ｃｏ−ｒｅａｃｔｉｖｅ  ｓｐｅｃｉｅｓ）とを含む第２のインクジェット・インクであって、該共反応性化学種が、カルボジイミド基と反応性の１つまたは複数の部位を含むことを特徴とするインクジェット・インクセット。
１１．  前記１０．に記載のインクセットであって、
前記第２のインクジェット・インクが、着色剤をさらに含むことを特徴とするインクセット。
１２．  前記１０．に記載のインクセットであって、
前記第１のインクが、着色剤を含有しないことを特徴とするインクセット。
１３．  少なくとも３つの異なる色に着色されたインクジェット・インクを含む前記１０．に記載のインクセットであって、
異なる色に着色されたインクジェット・インクの少なくとも１つが、前記第２のインクジェット・インクであり、
異なる色に着色されたインクジェット・インクの少なくとも１つが、第３のインクジェット・インクであって、該第３のインクジェット・インクが、第３のビヒクルを含み、該第３のビヒクルが、その中に分散されたおよび／または溶解された着色剤と共反応性化学種とを含み、該共反応性化学種が、カルボジイミド基と反応性の１つまたは複数の部位を含み、
異なる色に着色されたインクジェット・インクの少なくとも１つが、第４のインクジェット・インクであって、該第４のインクジェット・インクが、第４のビヒクルを含み、該第４のビヒクルが、その中に分散されたおよび／または溶解された着色剤と共反応性化学種とを含み、該共反応性化学種が、カルボジイミド基と反応性の１つまたは複数の部位を含むことを特徴とするインクセット。
１４．  基材上へのインクジェット印刷方法であって、
（ａ）デジタルデータ信号に応答するインクジェットプリンターを提供する工程と、
（ｂ）印刷されるべき基材を、該プリンターに装着する工程と、
（ｃ）前記１．〜８．のいずれか一項に記載のインクまたは前記１０．〜１３．のいずれか一項に記載のインクジェット・インクセットを、前記プリンターに装填する工程と、
（ｄ）デジタルデータ信号に応答して、インクまたはインクジェット・インクセットを用いて基材上へ印刷する工程と
を含むことを特徴とする方法。
１５．  前記基材が普通紙であることを特徴とする前記１４．に記載の方法。
１６．  前記基材が布地であることを特徴とする前記１４．に記載の方法。